(57)【要約】      （修正有）【課題】火災が発生したと誤検知してしまうことを抑制する。【解決手段】火災受信機１は、区画を識別する区画識別情報に関連付けて、区画で喫煙される蓋然性が閾値以上である喫煙時間帯を記憶する記憶部１２と、煙を感知する感知器から煙を感知したことを示す感知情報を受信した時刻が、感知器が設置された区画を示す区画識別情報に関連付けられた喫煙時間帯に含まれる場合、感知情報を受信した時刻が喫煙時間帯に含まれない場合よりも、感知情報を受信してから火災が発生したことを示す警報情報を出力するまでの時間である蓄積時間を長くする蓄積時間制御部１３４と、を備える。【選択図】図３
2019207474.tif 000002
【特許請求の範囲】
【請求項１】
区画を識別する区画識別情報に関連付けて、前記区画で喫煙される蓋然性が閾値以上である喫煙時間帯を記憶する記憶部と、
煙を感知する感知器から煙を感知したことを示す感知情報を受信した時刻が、前記感知器が設置された前記区画を示す前記区画識別情報に関連付けられた前記喫煙時間帯に含まれる場合、前記感知情報を受信した時刻が前記喫煙時間帯に含まれない場合よりも、前記感知情報を受信してから火災が発生したことを示す警報情報を出力するまでの時間である蓄積時間を長くする蓄積時間制御部と、
を備える火災受信機。
【請求項２】
前記区画識別情報に関連付けて、喫煙が行われたことを示す喫煙情報を取得する情報取得部と、
前記情報取得部が複数の時間帯のそれぞれにおいて同一の前記区画識別情報に関連付けて前記喫煙情報を取得した回数に基づいて、それぞれの時間帯における当該区画識別情報に対応する前記蓋然性を推定する推定部と、
前記推定部が推定した前記蓋然性が閾値以上である時間帯を前記喫煙時間帯として前記区画識別情報に関連付けて前記記憶部に記憶させる記憶制御部と、
をさらに備える、
請求項１に記載の火災受信機。
【請求項３】
前記推定部は、所定の時間内に前記喫煙情報を取得した回数が所定の喫煙回数以上である場合に、前記蓋然性が前記閾値以上であると推定する、
請求項２に記載の火災受信機。
【請求項４】
前記情報取得部は、加熱式喫煙具が送信した喫煙中であることを示す喫煙中情報を受信した中継装置を介して前記喫煙情報を取得する、
請求項２又は３に記載の火災受信機。
【請求項５】
前記情報取得部は、前記加熱式喫煙具を識別する喫煙具識別情報に関連付けて前記喫煙情報を取得し、
前記推定部は、前記情報取得部が同一の前記時間帯に同一の前記喫煙具識別情報に関連付けられた前記喫煙情報を複数回取得した場合に、取得した回数から減算した回数に基づいて前記蓋然性を推定する、
請求項４に記載の火災受信機。
【請求項６】
前記蓄積時間制御部は、休日における前記喫煙時間帯における蓄積時間を、平日における前記喫煙時間帯における蓄積時間より短くする、
請求項１から５のいずれか一項に記載の火災受信機。
【請求項７】
前記喫煙時間帯において前記感知器が煙を感知する感度を、前記喫煙時間帯に含まれない時間帯において前記感知器が煙を感知する感度より鈍くする感度制御部をさらに備える、
請求項１から６のいずれか一項に記載の火災受信機。
【請求項８】
設置された区画で発生した煙を感知する感知部と、
火災が発生したことを示す警報情報を出力する出力部と、
喫煙される蓋然性が閾値以上である喫煙時間帯を記憶する記憶部と、
前記感知部が煙を感知した時刻が前記喫煙時間帯に含まれる場合、前記感知部が煙を感知した時刻が前記喫煙時間帯に含まれない場合よりも、前記感知部が煙を感知してから前記警報情報を出力するまでの時間である蓄積時間を長くする蓄積時間制御部と、
前記感知部が煙を感知してから前記蓄積時間が経過した後に、前記感知部が煙を感知した場合、前記警報情報を前記出力部に出力させる出力制御部と、
を備える住宅用火災警報器。
【請求項９】
設置された区画で発生した煙を感知する複数の感知器と、火災が発生したことを示す警報情報を出力する火災受信機とを備え、
前記複数の感知器それぞれは、煙の発生を感知すると、煙を感知したことを示す感知情報を前記火災受信機に送信し、
前記火災受信機は、
前記区画を識別する区画識別情報に関連付けて、前記区画で喫煙される蓋然性が閾値以上である喫煙時間帯を記憶する記憶部と、
前記感知器から感知情報を受信した時刻が、前記感知器が設置された前記区画を示す前記区画識別情報に関連付けられた前記喫煙時間帯に含まれる場合、前記感知情報を受信した時刻が前記喫煙時間帯に含まれない場合よりも、前記感知情報を受信してから前記警報情報を出力するまでの時間である蓄積時間を長くする蓄積時間制御部と、
を有する火災報知システム。
【請求項１０】
喫煙が行われていることを示す喫煙中情報を加熱式喫煙具から受信したことに応じて前記喫煙中情報を前記火災受信機に送信する中継装置をさらに備える、
請求項９に記載の火災報知システム。
【発明の詳細な説明】
【技術分野】
【０００１】
本発明は、火災受信機、住宅用火災警報器、及び火災報知システムに関する。
【背景技術】
【０００２】
煙濃度や温度レベルが火災判断レベルを超えたときに火災感知器が火災信号とともに蓄積時間信号を火災受信機に送信し、蓄積時間の経過後に、火災受信機が火災確認信号を火災感知器に送信する火災検知システムが開示されている（例えば、特許文献１）。
【先行技術文献】
【特許文献】
【０００３】
【特許文献１】特開平９−２８８７８１号公報
【発明の概要】
【発明が解決しようとする課題】
【０００４】
非喫煙者への受動喫煙防止の観点から、分煙を目的として喫煙時間又は喫煙場所が指定されている。喫煙時間又は喫煙場所においては、多数の喫煙者が同時に喫煙することにより、煙草の煙が多量に発生する。煙の発生により火災を感知する煙感知器は、多量に発生した煙草の煙により、火災が発生したと誤検知してしまうことがあった。
【０００５】
そこで、本発明はこれらの点に鑑みてなされたものであり、火災が発生したと誤検知してしまうことを抑制する技術を提供することを目的とする。
【課題を解決するための手段】
【０００６】
本発明の第１の態様においては、区画を識別する区画識別情報に関連付けて、前記区画で喫煙される蓋然性が閾値以上である喫煙時間帯を記憶する記憶部と、煙を感知する感知器から煙を感知したことを示す感知情報を受信した時刻が、前記感知器が設置された前記区画を示す前記区画識別情報に関連付けられた前記喫煙時間帯に含まれる場合、前記感知情報を受信した時刻が前記喫煙時間帯に含まれない場合よりも、前記感知情報を受信してから火災が発生したことを示す警報情報を出力するまでの時間である蓄積時間を長くする蓄積時間制御部と、を備える火災受信機を提供する。
【０００７】
前記区画識別情報に関連付けて、喫煙が行われたことを示す喫煙情報を取得する情報取得部と、前記情報取得部が複数の時間帯のそれぞれにおいて同一の前記区画識別情報に関連付けて前記喫煙情報を取得した回数に基づいて、それぞれの時間帯における当該区画識別情報に対応する前記蓋然性を推定する推定部と、前記推定部が推定した前記蓋然性が閾値以上である時間帯を前記喫煙時間帯として前記区画識別情報に関連付けて前記記憶部に記憶させる記憶制御部と、をさらに備えてもよい。
【０００８】
例えば、前記推定部は、所定の時間内に前記喫煙情報を取得した回数が所定の喫煙回数以上である場合に、前記蓋然性が前記閾値以上であると推定する。
【０００９】
例えば、前記情報取得部は、加熱式喫煙具が送信した喫煙中であることを示す喫煙中情報を受信した中継装置を介して前記喫煙情報を取得する。
【００１０】
前記情報取得部は、前記加熱式喫煙具を識別する喫煙具識別情報に関連付けて前記喫煙情報を取得し、前記推定部は、前記情報取得部が同一の前記時間帯に同一の前記喫煙具識別情報に関連付けられた前記喫煙情報を複数回取得した場合に、取得した回数から減算した回数に基づいて前記蓋然性を推定してもよい。
【００１１】
前記蓄積時間制御部は、休日における前記喫煙時間帯における蓄積時間を、平日における前記喫煙時間帯における蓄積時間より短くしてもよい。
【００１２】
前記火災受信機は、前記喫煙時間帯において前記感知器が煙を感知する感度を、前記喫煙時間帯に含まれない時間帯において前記感知器が煙を感知する感度より鈍くする感度制御部をさらに備えてもよい。
【００１３】
本発明の第２の態様においては、設置された区画で発生した煙を感知する感知部と、火災が発生したことを示す警報情報を出力する出力部と、喫煙される蓋然性が閾値以上である喫煙時間帯を記憶する記憶部と、前記感知部が煙を感知した時刻が前記喫煙時間帯に含まれる場合、前記感知部が煙を感知した時刻が前記喫煙時間帯に含まれない場合よりも、前記感知部が煙を感知してから前記警報情報を出力するまでの時間である蓄積時間を長くする蓄積時間制御部と、前記感知部が煙を感知してから前記蓄積時間が経過した後に、前記感知部が煙を感知した場合、前記警報情報を前記出力部に出力させる出力制御部と、を備える住宅用火災警報器を提供する。
【００１４】
本発明の第３の態様においては、設置された区画で発生した煙を感知する複数の感知器と、火災が発生したことを示す警報情報を出力する火災受信機とを備え、前記複数の感知器それぞれは、煙の発生を感知すると、煙を感知したことを示す感知情報を前記火災受信機に送信し、前記火災受信機は、前記区画を識別する区画識別情報に関連付けて、前記区画で喫煙される蓋然性が閾値以上である喫煙時間帯を記憶する記憶部と、前記感知器から感知情報を受信した時刻が、前記感知器が設置された前記区画を示す前記区画識別情報に関連付けられた前記喫煙時間帯に含まれる場合、前記感知情報を受信した時刻が前記喫煙時間帯に含まれない場合よりも、前記感知情報を受信してから前記警報情報を出力するまでの時間である蓄積時間を長くする蓄積時間制御部と、を有する火災報知システムを提供する。
【００１５】
喫煙が行われていることを示す喫煙中情報を加熱式喫煙具から受信したことに応じて前記喫煙中情報を前記火災受信機に送信する中継装置をさらに備えてもよい。
【発明の効果】
【００１６】
本発明によれば、火災が発生したと誤検知してしまうことを抑制できるという効果を奏する。
【図面の簡単な説明】
【００１７】
【図１】火災報知システムの構成を説明するための図である。
【図２】加熱式喫煙具及び中継装置の構成を示す図である。
【図３】火災受信機の構成を示す図である。
【図４】区画識別情報に関連付けられた喫煙時間帯を示すデータテーブルを模式的に示す図である。
【図５】喫煙時間帯を記憶させる処理のフローチャートである。
【図６】警報情報を出力する処理のフローチャートである。
【図７】第２の実施形態に係る住宅用火災警報器の構成を示す図である。
【発明を実施するための形態】
【００１８】
［実施形態に係る火災受信機の概要］
非喫煙者への受動喫煙防止の観点から、分煙を目的として設定された喫煙時間又は喫煙場所においては、多数の喫煙者が同時に喫煙することにより、煙草の煙が多量に発生する。煙草の煙の発生量が多い場合、煙草の煙が空気中に拡散して、空気中の煙の濃度が減少するまでに必要な時間が長くなる。そのため、従来の火災受信機は、煙を感知する感知器が煙を感知してから蓄積時間が経過した後に、空気中の煙草の煙の濃度が、火災の煙であると判定するための濃度上限値未満に下がっていない場合、煙草の煙を火災の煙と誤検知してしまうことがあった。
【００１９】
そこで、実施形態に係る火災受信機は、区画を識別する区画識別情報に関連付けて、区画で喫煙される蓋然性が閾値以上である喫煙時間帯を記憶する。そして、火災受信機は、感知器から感知情報を受信した時刻が、感知器が設置された区画を示す区画識別情報に関連付けられた喫煙時間帯に含まれる場合、感知情報を受信した時刻が喫煙時間帯に含まれない場合よりも、蓄積時間を長くする。
【００２０】
このようにすることで、火災受信機は、多数の喫煙者が同時に喫煙することにより煙草の煙が多量に発生した場合であっても、多量に発生した煙草の煙が空気中に拡散して、煙の濃度が濃度上限値未満に減少するまでに必要な時間を確保することができる。そのため、火災受信機は、煙草の煙を火災の煙であると誤検知することを抑制できる。
【００２１】
＜第１の実施形態＞
［火災報知システムＳの構成］
以下、図１、図２、及び図３を用いて第１の実施形態に係る火災報知システムＳについて説明する。図１は、火災報知システムＳの構成を説明するための図である。火災報知システムＳは、火災が発生したことを示す警報情報を出力する火災受信機１と、設置された区画Ｒで発生した煙を感知する感知器２と、中継装置４とを備える。本実施の形態においては、区画Ｒにおいて、ユーザが加熱式喫煙具３により喫煙する場合を例に説明するが、ユーザが加熱式喫煙具３以外の煙草を吸う場合にも火災報知システムＳの機能を適用することができる。
【００２２】
（喫煙時間帯を推定する処理）
火災報知システムＳは、複数の時間帯（例えば５分間ごとに分けられた時間帯）のそれぞれに対応する蓄積時間の初期値を記憶している。火災報知システムＳは、複数の時間帯のそれぞれにおいて、区画Ｒで喫煙される蓋然性を推定する。火災報知システムＳは、区画Ｒで喫煙される蓋然性が閾値以上の時間帯を喫煙時間帯であると推定する。そして、火災報知システムＳは、推定した喫煙時間帯における蓄積時間を、蓄積時間の初期値から喫煙時間帯以外の時間帯における蓄積時間よりも長くした新たな蓄積時間に更新する。火災報知システムＳは、区画Ｒで喫煙される蓋然性を更新する度に、各時間帯の蓄積時間を更新する。
【００２３】
火災受信機１と感知器２とは、専用の信号線で接続されている。専用の信号線は、例えば、耐熱性を有する消防用耐熱電線であり、火災警報回線である。火災受信機１と中継装置４とは、例えば、専用の信号線とは異なる通信回線で接続されている。火災受信機１と中継装置４とは、無線通信回線で接続されてもよい。なお、中継装置４は、感知器２の機能を有していてもよい。中継装置４が感知器２の機能を有する場合、火災受信機１と中継装置４とは、専用の信号線である火災警報回線で接続される。
【００２４】
加熱式喫煙具３と中継装置４とは、無線通信回線で接続される。無線通信回線の規格は、例えばBluetooth Low Energy（Bluetoothは登録商標）であるが、これに限定されない。加熱式喫煙具３は、ユーザが喫煙するために加熱式喫煙具３の電源をオンにすると、喫煙中であることを示す喫煙中情報を含むビーコン信号（例えばBluetoothにおけるアドバタイジング・パケット）を中継装置４に送信する。中継装置４は、加熱式喫煙具３からビーコン信号を受信すると、ビーコン信号に喫煙中情報が含まれているか否かを確認し、喫煙中情報が含まれている場合に、ユーザが加熱式喫煙具３により喫煙中であると判定する。
【００２５】
図２は、加熱式喫煙具３及び中継装置４の構成を示す図である。加熱式喫煙具３は、電源部３１と、加熱部３２と、信号送信部３３と、喫煙具制御部３４とを備える。電源部３１は、加熱式喫煙具３の各機能構成部に電力を供給する電源であり、例えばリチウムイオン二次電池であるが、これに限定されない。加熱部３２は、タバコ葉を加熱するためのヒーターである。
【００２６】
信号送信部３３は、例えばBluetoothモジュールである。信号送信部３３は、加熱式喫煙具３の電源がオンした場合に、喫煙中であることを示す喫煙中情報を含むビーコン信号を送信する。信号送信部３３は、ユーザが加熱式喫煙具３を用いて喫煙している間、定期的に喫煙中情報を含むビーコン信号を送信してもよい。
【００２７】
喫煙具制御部３４は、例えばＣＰＵ（Central Processing Unit）である。喫煙具制御部３４は、図示しない記憶部に記憶されたプログラムを実行することにより加熱式喫煙具３の各機能構成部を制御する。喫煙具制御部３４は、例えば、加熱式喫煙具３に設けられた図示しない電源ボタンが押されたと判定すると、加熱部３２を加熱するとともに、喫煙中情報を含むビーコン信号を信号送信部３３に送信させる。
【００２８】
中継装置４は、電源部４１と、信号受信部４２と、記憶部４３と、計時部４４と、中継装置制御部４５と、情報送信部４６とを備える。電源部４１は、中継装置４の各機能構成部に電力を供給する電源であり、例えばリチウムイオン二次電池であるが、これに限定されない。
【００２９】
信号受信部４２は、例えばBluetoothモジュールである。信号受信部４２は、加熱式喫煙具３から受信したビーコン信号を中継装置制御部４５に通知する。
【００３０】
記憶部４３は、ＲＯＭ（Read Only Memory）、ＲＡＭ（Random Access Memory）及びハードディスク等の記憶媒体を含む。記憶部４３は、中継装置制御部４５が実行するプログラムを記憶する。記憶部４３は、中継装置４が設置された区画Ｒを識別する区画識別情報を記憶する。計時部４４は、現在時刻を示す時刻情報を中継装置制御部４５に出力する。
【００３１】
情報送信部４６は、例えばＬＡＮ（Local Area Network）モジュールである。情報送信部４６は、ユーザが喫煙したことを示す喫煙情報を火災受信機１に送信する。喫煙情報の詳細については後述する。
【００３２】
中継装置制御部４５は、例えば、ＣＰＵである。中継装置制御部４５は、記憶部４３に記憶されたプログラムを実行することにより中継装置４の各機能構成部を制御する。中継装置制御部４５は、信号受信部４２が加熱式喫煙具３から喫煙中情報を受信すると、加熱式喫煙具３において喫煙中であることを特定する。中継装置制御部４５は、加熱式喫煙具３において喫煙がされていない状況で信号受信部４２が加熱式喫煙具３から喫煙開始情報を受信した場合、喫煙が開始されたことを特定する。加熱式喫煙具３が、喫煙中に継続的に喫煙中情報を送信する場合、中継装置制御部４５は、喫煙中情報を送信した加熱式喫煙具３から喫煙中情報が送信されなくなるまでの間を、喫煙が継続した期間であると特定してもよい。
【００３３】
中継装置制御部４５は、加熱式喫煙具３から受信した喫煙中情報に基づいて喫煙が開始されたことを特定し、情報送信部４６に喫煙情報を送信させる。例えば、中継装置制御部４５は、記憶部４３に記憶された区画識別情報と喫煙が開始された時刻とを含む喫煙情報を火災受信機１に送信するように情報送信部４６に指示する。中継装置制御部４５は、区画識別情報と喫煙が行われた期間とを含む喫煙情報を情報送信部４６に送信させてもよい。なお、中継装置４と火災受信機１とが一対一で接続されている場合、中継装置制御部４５は区画識別情報を情報送信部４６に送信させなくてもよい。
【００３４】
図３は、火災受信機１の構成を示す図である。火災受信機１は、通信部１１と、記憶部１２と、制御部１３と、警報出力部１４とを備える。通信部１１は、感知情報受信部１１１と、喫煙情報受信部１１２とを有する。感知情報受信部１１１は、感知器２から専用の信号線を介して感知情報を受信する通信インターフェースである。喫煙情報受信部１１２は、例えばＬＡＮモジュールである。喫煙情報受信部１１２は、中継装置４から喫煙情報を受信する。喫煙情報受信部１１２は、喫煙情報に関連付けられた区画識別情報、又は喫煙情報に関連付けられた時刻情報をさらに受信してもよい。警報出力部１４は、警報情報を主音響（ブザー）として出力する。
【００３５】
記憶部１２は、ＲＯＭ、ＲＡＭ及びハードディスク等の記憶媒体を含む。記憶部１２は、制御部１３が実行するプログラムを記憶する。記憶部１２は、区画Ｒを識別する区画識別情報に関連付けて、区画Ｒで喫煙される蓋然性が閾値以上である喫煙時間帯を記憶する。図４は、区画識別情報に関連付けられた喫煙時間帯を示すデータテーブルを模式的に示す図である。例えば、図４に示すように、区画識別情報である区画名「２Ｆ  喫煙室」と、喫煙時間帯を示す「８：３０〜９：００」及び「１２：３０〜１３：００」とが関連づけられている。
【００３６】
制御部１３は、例えばＣＰＵである。制御部１３は、記憶部１２に記憶されたプログラムを実行することにより、情報取得部１３１、推定部１３２、記憶制御部１３３、蓄積時間制御部１３４及び出力制御部１３５として機能する。
【００３７】
情報取得部１３１は、区画識別情報に関連付けて、喫煙が行われたことを示す喫煙情報を取得する。例えば、情報取得部１３１は、加熱式喫煙具３が送信した喫煙中情報を受信した中継装置４を介して喫煙情報を取得する。また、情報取得部１３１は、加熱式喫煙具３が送信した喫煙開始情報を受信した中継装置４を介して喫煙情報を取得してもよい。
【００３８】
推定部１３２は、区画Ｒで喫煙される蓋然性を複数の時間帯のそれぞれにおいて推定する。例えば、推定部１３２は、情報取得部１３１が複数の時間帯のそれぞれにおいて同一の区画識別情報に関連付けて喫煙情報を取得した回数に基づいて、それぞれの時間帯における当該区画識別情報に対応する蓋然性を推定する。具体的には、推定部１３２は、各時間帯の長さに対応する所定の時間内に、同一の区画識別情報に関連付けて喫煙情報を取得した回数が所定の喫煙回数以上である場合に、蓋然性が閾値以上であると推定する。
【００３９】
複数の時間帯それぞれの長さは、喫煙時間帯の推定に要求される精度に基づいて定められ、例えば５分である。所定の喫煙回数は、火災報知システムＳを運用する事業者が適宜定めればよいが、推定部１３２が定めてもよい。例えば、推定部１３２は、複数の時間帯の各時間帯において取得された喫煙情報の数の平均値を所定の喫煙回数として定める。また、推定部１３２は、煙草１本あたりに発生する煙の量と、感知器２が煙を感知する感度とに基づいて所定の喫煙回数を定めてもよい。例えば、推定部１３２は、火災受信機１が火災の煙であると検知する煙の濃度以上の煙が発生する煙草の本数に基づいて所定の喫煙回数を定める。
【００４０】
推定部１３２は、複数の時間帯に対応する所定の時間内に同一の区画識別情報に関連付けて喫煙情報を取得した回数の変化に基づいて、区画で喫煙される蓋然性を推定してもよい。例えば、推定部１３２は、直前の時間帯に比べて喫煙情報を取得した回数が所定数以上増加した場合に、喫煙情報を取得した回数が増加した後の時間帯において喫煙される蓋然性が閾値以上であると推定する。喫煙情報を取得した回数が増加した場合、複数の喫煙者が同時に喫煙を開始したと考えられるので、推定部１３２は、喫煙時間帯が開始したと推定することができる。
【００４１】
記憶制御部１３３は、推定部１３２が推定した蓋然性が閾値以上である時間帯を喫煙時間帯として区画識別情報に関連付けて記憶部１２に記憶させる。以下、制御部１３が実行する喫煙時間帯を記憶部１２に記憶させる処理について説明する。図５は、喫煙時間帯を記憶させる処理のフローチャートである。
【００４２】
まず、情報取得部１３１は、加熱式喫煙具３が送信した喫煙中情報を受信した中継装置４から、区画識別情報に関連付けられた喫煙情報を取得する（ステップＳ１）。続いて、推定部１３２は、所定の時間内に同一の区画識別情報に関連付けられた喫煙情報を取得した回数が所定の喫煙回数以上であるか否かを判定する（ステップＳ２）。推定部１３２は、喫煙情報を取得した回数が所定の喫煙回数未満であると判定すると（ステップＳ２でＮｏ）、処理を終了する。
【００４３】
推定部１３２は、喫煙情報を取得した回数が所定の喫煙回数以上であると判定すると（ステップＳ２でＹｅｓ）、区画識別情報が示す区画Ｒで喫煙される蓋然性が閾値以上であると推定する（ステップＳ３）。そして、記憶制御部１３３は、推定部１３２が区画Ｒで喫煙される蓋然性が閾値以上であると推定した時間帯を喫煙時間帯として記憶部１２に記憶させる（ステップＳ４）。なお、制御部１３は、複数の時間帯のそれぞれにおいてステップＳ２からＳ４の処理を実行する。
【００４４】
（蓄積時間を決定する処理）
続いて、以上のようにして推定部１３２が推定した喫煙時間帯に基づいて、蓄積時間を制御する処理について説明する。蓄積時間制御部１３４は、記憶部１２に記憶された喫煙時間帯に基づいて、感知器２が煙を感知してから火災が発生したことを示す警報情報を出力するまでの時間である蓄積時間を決定する。蓄積時間制御部１３４は、感知器２から感知情報を受信した時刻が、感知器２が設置された区画Ｒを示す区画識別情報に関連付けられた喫煙時間帯に含まれるか否かを判定し、判定した結果に基づいて蓄積時間を決定する。
【００４５】
蓄積時間制御部１３４は、感知情報を受信した時刻が喫煙時間帯に含まれる場合、感知情報を受信した時刻が喫煙時間帯に含まれない場合よりも、蓄積時間を長くする。例えば、蓄積時間制御部１３４は、感知情報を受信した時刻が喫煙時間帯に含まれない場合の蓄積時間を基準として、推定部１３２が喫煙時間帯であると推定した時間帯において情報取得部１３１が喫煙情報を取得した回数が多いほど蓄積時間を長くする。具体的には、蓄積時間制御部１３４は、喫煙時間帯であると推定された時間帯において喫煙情報を取得した回数と、所定の喫煙回数との比に応じて蓄積時間を長くする。このようにすることで、火災報知システムＳは、区画Ｒで喫煙される煙草の本数が多く、区画Ｒで煙草の煙が大量に発生した場合であっても、煙草の煙が空気中に拡散して、煙の濃度が濃度上限値未満に下がるまでに必要な時間を確保することができる。
【００４６】
蓄積時間制御部１３４は、例えば、基準となる蓄積時間に、喫煙により発生する煙の量に基づいて定められる延長時間を加えることにより蓄積時間を決定する。喫煙により発生する煙の濃度が濃度上限値未満に下がるまでに要する時間は、情報取得部１３１が喫煙時間帯に喫煙情報を取得した回数との間に相関がある。そこで、蓄積時間制御部１３４は、例えば、情報取得部１３１が喫煙時間帯において喫煙情報を取得した回数に基づいて延長時間を決定する。基準となる蓄積時間の具体的な値は例えば４０秒であり、延長時間の具体的な値は例えば、１０秒、２０秒又は３０秒である。
【００４７】
出力制御部１３５は、感知情報受信部１１１が感知器２から感知情報を受信してから蓄積時間が経過した後に、感知器２からさらに感知情報を受信した場合、警報情報を出力する。出力制御部１３５は、感知器２から感知情報を受信してから蓄積時間が経過する前に、感知器２から感知情報を受信しなくなった場合、警報情報を出力しない。出力制御部１３５は、蓄積時間が経過する前に感知情報を受信しなくなった後に新たに感知情報を受信した場合、新たに感知情報を受信した時点を蓄積時間の開始時点としてもよい。このようにすることで、火災報知システムＳは、蓄積時間が経過するまでの間に新たな喫煙が開始されたことにより感知器２から感知情報を受信した場合に、煙草の煙を火災の煙と誤検知してしまうことを抑制できる。
【００４８】
出力制御部１３５は、警報出力部１４に警報情報を出力する。また、出力制御部１３５は、区画Ｒに設置された警報装置６に警報情報を出力する。警報装置６は、例えばスピーカーである。また、警報装置６は、発光部を点滅させることにより警報情報を出力する光警報装置であってもよい。以下、制御部１３が実行する、警報情報を出力する処理について説明する。図６は、警報情報を出力する処理のフローチャートである。
【００４９】
（警報情報を出力する処理）
まず、感知情報受信部１１１は、感知器２から感知情報を受信する（ステップＳ１１）。蓄積時間制御部１３４は、感知情報を受信した時刻が喫煙時間帯に含まれるか否かを判定する（ステップＳ１２）。蓄積時間制御部１３４は、感知情報を受信した時刻が喫煙時間帯に含まれると判定すると（ステップＳ１２でＹｅｓ）、ステップＳ１３に移行する。蓄積時間制御部１３４は、喫煙時間帯における蓄積時間を、喫煙時間帯に含まれない時間帯の蓄積時間よりも長くした延長蓄積時間に決定する（ステップＳ１３）。蓄積時間制御部１３４は、感知情報を受信した時刻が喫煙時間帯に含まれないと判定すると（ステップＳ１２でＮｏ）、ステップＳ１４に移行する。
【００５０】
出力制御部１３５は、感知情報を受信してから蓄積時間が経過したか否かを判定する（ステップＳ１４）。出力制御部１３５は、感知情報を受信してから蓄積時間が経過していないと判定すると（ステップＳ１４でＮｏ）、蓄積時間が経過するまで待機する。出力制御部１３５は、感知情報を受信してから蓄積時間が経過したと判定すると（ステップＳ１４でＹｅｓ）、感知情報受信部１１１が感知情報を受信しているか否かを判定する（ステップＳ１５）。
【００５１】
出力制御部１３５は、感知情報受信部１１１が感知器２から感知情報を受信していると判定すると（ステップＳ１５でＹｅｓ）、警報情報を出力する（ステップＳ１６）。出力制御部１３５は、感知情報受信部１１１が感知情報を受信していないと判定すると（ステップＳ１５でＮｏ）、警報情報を出力せずに、警報情報を出力する処理を終了する。
【００５２】
（変形例１）
以上の説明においては、所定の時間内に、多数の喫煙者が同時に喫煙することを想定したが、所定の時間内に一人の喫煙者のみが複数回喫煙する場合がある。この場合、同一の喫煙者による複数回の喫煙は、喫煙場所又は喫煙時間において喫煙されたものではないと推定される。そこで、火災報知システムＳは、同一の喫煙者による喫煙情報が複数回取得された場合、取得された回数から減算した回数に基づいて、喫煙される蓋然性を推定する。この場合、情報取得部１３１は、加熱式喫煙具３を識別する喫煙具識別情報に関連付けて喫煙情報を取得する。
【００５３】
推定部１３２は、同一の喫煙具識別情報が示す加熱式喫煙具３を用いて喫煙されたことを示す喫煙情報を複数回取得した場合、区画Ｒで喫煙された回数が、取得した回数より少ない回数であると仮定して区画Ｒで喫煙される蓋然性を推定する。例えば、推定部１３２は、情報取得部１３１が同一の時間帯に同一の喫煙具識別情報に関連付けられた喫煙情報を複数回取得した場合に、取得した回数から所定の減算回数を減算した回数に基づいて蓋然性を推定する。また、推定部１３２は、同一の喫煙具識別情報に関連付けられた喫煙情報を複数回取得した場合、同一の時間帯において同一の喫煙具識別情報に関連付けられた喫煙情報を１回取得したものとして、蓋然性を推定してもよい。
【００５４】
このようにすることで、火災報知システムＳは、喫煙された場所が、多数の人が喫煙する場所でない場合、又は喫煙された時間が、多数の人が同時に喫煙する時間帯ではない場合に、喫煙時間帯として記憶しない。そのため、火災報知システムＳは、喫煙場所以外の場所又は喫煙時間以外の時間帯に、火災による煙を煙草の煙だと誤検知せず、早期に火災の発生を報知できる。
【００５５】
（変形例２）
火災報知システムＳが設置された建物内に存在する人の数は、曜日に応じて増減することがある。例えば、一般的な会社が入居する建物において、平日に勤務する人数に比べて、休日に勤務する人数は少なくなる。勤務する人数が少ない場合、喫煙場所で同時に喫煙する喫煙者の数は少なくなると考えられる。同時に喫煙する喫煙者の数が少ないと、発生する煙草の煙も少なくなるので、煙草の煙が空気中に拡散して煙の濃度が所定の濃度以下になるまでの時間も短くなると推定される。
【００５６】
そこで、蓄積時間制御部１３４は、複数の曜日のそれぞれにおける喫煙時間帯における蓄積時間を変更してもよい。例えば、蓄積時間制御部１３４は、複数の曜日それぞれにおける所定の時間内に喫煙情報を取得した回数の比率に応じて、複数の曜日それぞれの喫煙時間帯における蓄積時間を決定する。具体的には、蓄積時間制御部１３４は、休日における喫煙時間帯における蓄積時間を、平日における喫煙時間帯における蓄積時間よりも短くする。例えば、蓄積時間制御部１３４は、休日において所定の時間内に喫煙情報を取得した回数と、平日において所定の時間内に喫煙情報を取得した回数との比に基づいて、蓄積時間を短くする。
【００５７】
このようにすることで、火災報知システムＳは、感知器２が煙を感知してから煙の濃度が濃度上限値以下になるまでの時間が短くなると推定される休日において、喫煙時間帯における蓄積時間を短くする。そのため、火災報知システムＳは、休日においても煙草の煙を火災の煙と誤検知することを抑制するとともに、火災を早期に発見することができる。
【００５８】
（変形例３）
同時に多数の喫煙者が喫煙した場合、発生する煙草の煙が多くなるので、空気中に含まれる煙の濃度も高くなると推定される。そこで、火災受信機１は、喫煙時間帯における感知器２が煙を感知する感度を鈍くする。例えば、制御部１３は、記憶部１２に記憶されたプログラムを実行することにより、喫煙時間帯において感知器２が煙を感知する感度を、喫煙時間帯に含まれない時間帯において感知器２が煙を感知する感度より鈍くする感度制御部として機能する。
【００５９】
感度制御部は、例えば、感知器２に設定された火災の煙であると判定するための濃度上限値を上げる。具体的には、感度制御部は、喫煙時間帯に含まれない時間帯における濃度上限値を基準として、喫煙時間帯に含まれる時間帯における濃度上限値を大きくする。より具体的には、感度制御部は、推定部１３２が喫煙時間帯において取得された喫煙情報の回数に基づいて推定した煙の濃度に基づいて、濃度上限値を大きくする。感度制御部は、喫煙時間帯において喫煙されると推定された煙草の本数に基づく煙草の煙の濃度以上になるように濃度上限値を大きくする。
【００６０】
このようにすることで、感知器２は、喫煙時間帯においては、空気中に含まれる煙草の煙の濃度が高くなっても感知情報を送信しない。そのため、火災報知システムＳは、煙草の煙を火災の煙であると誤検知することを抑制できる。
【００６１】
（変形例４）
火災報知システムＳは、感知器２が中継装置４の機能を備えることにより、中継装置４を備えなくてもよい。このようにすることで、火災報知システムＳを運用する事業者は、火災報知システムＳを設置する場合に、構成点数を少なくし、設置に係る工数を削減できるので、火災報知システムＳの設置コストを低減できる。
【００６２】
（変形例５）
火災報知システムＳは、区画Ｒを撮像するカメラを備え、火災受信機１は、カメラが撮像した撮像画像を解析した解析結果に基づいて区画Ｒで喫煙される蓋然性を推定してもよい。具体的には、まず、火災受信機１は、解析結果に基づいて区画Ｒに存在する人が喫煙行為を行ったか否かを判定する。火災受信機１は、区画Ｒに存在する人が喫煙行為を行ったと判定すると、喫煙行為を行ったと判定した撮像画像が撮像された時刻を、区画Ｒで喫煙される蓋然性が閾値以上であると推定する。
【００６３】
また、火災報知システムＳは、区画Ｒに人が存在するか否かを感知する人感センサを備えていてもよい。火災受信機１は、人感センサが区画Ｒに人が存在することを感知すると、人が存在することを感知した時刻を、喫煙される蓋然性が閾値以上であると推定する。なお、火災報知システムＳは、火災報知システムＳを運用する事業者から、喫煙情報又は喫煙時間帯の入力を受けてもよい。
【００６４】
［第１の実施形態に係る火災報知システムＳの効果］
このように、火災報知システムＳは、区画Ｒで喫煙される蓋然性が閾値以上である喫煙時間帯を記憶する。そして、火災報知システムＳは、煙を感知する感知器２から感知情報を受信した時刻が喫煙時間帯に含まれる場合、感知情報を受信した時刻が喫煙時間帯に含まれない場合よりも、蓄積時間を長くする。このようにすることで、火災報知システムＳは、煙草の煙が多量に発生した場合でも、煙草の煙が空気中に拡散して煙草の煙の濃度が減少するまでに必要な時間を確保することができるので、喫煙場所又は喫煙時間において煙草の煙を火災の煙と誤検知することを抑制できる。
【００６５】
＜第２の実施形態＞
第２の実施形態は、煙を感知すると警報情報を出力する住宅用火災警報器５である。住宅用火災警報器５は、複数の時間帯のそれぞれに対応する蓄積時間の初期値を記憶する。住宅用火災警報器５は、電源がオンになると、加熱式喫煙具３から喫煙中情報を含むビーコン信号を受信可能な状態で待機する。住宅用火災警報器５は、加熱式喫煙具３からビーコン信号を受信すると、ビーコン信号に含まれる喫煙中情報に基づいて複数の時間帯のそれぞれにおける喫煙される蓋然性を推定する。住宅用火災警報器５は、喫煙される蓋然性が閾値以上であると推定した時間帯において、喫煙される蓋然性が閾値未満である時間帯より長くした新たな蓄積時間を記憶する。
【００６６】
図７は、第２の実施形態に係る住宅用火災警報器５の構成を示す図である。住宅用火災警報器５は、信号受信部５０と、感知部５１と、出力部５２と、記憶部５３と、制御部５４とを備える。信号受信部５０は、例えばBluetoothモジュールである。信号受信部５０は、加熱式喫煙具３から受信したビーコン信号を制御部５４に通知する。
【００６７】
感知部５１は、設置された区画で発生した煙を感知する。感知部５１は、煙を感知すると、煙を感知したことを示す感知情報を制御部５４に送信する。出力部５２は、例えばスピーカーである。出力部５２は、火災が発生したことを示す警報情報を出力する。具体的には、出力部５２は、警報情報を「火事です」という音声メッセージとして出力する。また、出力部５２は、警報情報をブザー音として出力してもよい。なお、出力部５２は、光を発する発光部であってもよい。出力部５２が発光部である場合、出力部５２は、光を点滅させることにより、警報情報を出力する。
【００６８】
記憶部５３は、ＲＯＭ、ＲＡＭ及びハードディスク等の記憶媒体を含む。記憶部５３は、制御部５４が実行するプログラムを記憶する。記憶部５３は、喫煙される蓋然性が閾値以上である喫煙時間帯を記憶する。
【００６９】
制御部５４は、例えばＣＰＵである。制御部５４は、記憶部５３に記憶されたプログラムを実行することによって、推定部５４０、蓄積時間制御部５４１及び出力制御部５４２として機能する。推定部５４０は、第１の実施形態における推定部１３２と同等の機能を有しており、信号受信部５０が加熱式喫煙具３から喫煙中情報を含むビーコン信号を受信した回数に基づいて、喫煙される蓋然性を推定する。
【００７０】
蓄積時間制御部５４１は、第１の実施形態における蓄積時間制御部１３４と同等の機能を有しており、感知部５１が煙を感知した時刻が喫煙時間帯に含まれるか否かを判定した結果に基づいて、蓄積時間を制御する。蓄積時間制御部５４１は、感知部５１が煙を感知した時刻が喫煙時間帯に含まれると判定した場合、感知部５１が煙を感知した時刻が喫煙時間帯に含まれない場合よりも、感知部５１が煙を感知してから警報情報を出力するまでの時間である蓄積時間を長くする。出力制御部５４２は、第１の実施形態における出力制御部１３５と同等の機能を有しており、感知部５１が煙を感知してから蓄積時間が経過した後に、感知部５１が煙を感知した場合、警報情報を出力する。
【００７１】
［第２の実施形態に係る住宅用火災警報器５の効果］
このように、住宅用火災警報器５は、住宅用火災警報器５が設置された区画における喫煙される蓋然性が閾値以上である喫煙時間帯において、蓄積時間を長くする。このようにすることで、住宅用火災警報器５は、煙草の煙が空気中に拡散して濃度が減少するまでに必要な時間を確保することができるので、煙草の煙を火災の煙と誤検知することを抑制できる。
【００７２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７３】
１  火災受信機
２  感知器
３  加熱式喫煙具
４  中継装置
５  住宅用火災警報器
６  警報装置
１１  通信部
１２  記憶部
１３  制御部
１４  警報出力部
３１  電源部
３２  加熱部
３３  信号送信部
３４  喫煙具制御部
４１  電源部
４２  信号受信部
４３  記憶部
４４  計時部
４５  中継装置制御部
４６  情報送信部
５０  信号受信部
５１  感知部
５２  出力部
５３  記憶部
５４  制御部
１１１  感知情報受信部
１１２  喫煙情報受信部
１３１  情報取得部
１３２  推定部
１３３  記憶制御部
１３４  蓄積時間制御部
１３５  出力制御部
５４０  推定部
５４１  蓄積時間制御部
５４２  出力制御部
Ｓ  火災報知システム
【図１】
2019207474.tif 000003
【図２】
2019207474.tif 000004
【図３】
2019207474.tif 000005
【図４】
2019207474.tif 000006
【図５】
2019207474.tif 000007
【図６】
2019207474.tif 000008
【図７】
2019207474.tif 000009